(57)【要約】      （修正有）【課題】目印としての付箋の基本的な構成を有すると共に、付箋本体に使用意欲を起こさせる表記を施し、また分離部より分離除去を行うことで基部に異なる意味内容表記が得られるようにすることで意匠の変化を楽しむことが出来る付箋を提供する。【解決手段】付箋本体１１に切断可能部１２が設けられ、基部１３と除去部１４とにより構成された付箋１０である。基部１３と除去部１４とには、連続して一体の意味内容を保持すると共に、除去部１４が除去された場合にも基部１３に残存した部位１５も独自の意味内容を有する表記部１６が設けられている。【選択図】図１
0003189016.tif 000002
【実用新案登録請求の範囲】
【請求項１】
付箋本体に切断可能部が設けられ、基部と除去部とにより構成された付箋であって、
上記基部と除去部とには、連続して一体の意味内容を保持すると共に、上記除去部が除去された場合にも上記基部に残存した部位も独自の意味内容を有する表記部が設けられていることを特徴とする付箋。
【請求項２】
全体細長長方形状に形成されていることを特徴とする請求項１記載の付箋。
【請求項３】
上記切断可能部は長さ方向端部に設けられていることを特徴とする請求項２記載の付箋。
【請求項４】
上記表記部は符号であって、上記切断可能部は上記符号を横断して設けられていることを特徴とする請求項１記載の付箋。
【請求項５】
上記表記部は文字であって、上記切断可能部は上記文字を横断して設けられていることを特徴とする請求項１記載の付箋。
【請求項６】
上記表記部は図形であって、上記切断可能部は上記図形を横断して設けられていることを特徴とする請求項１記載の付箋。
【考案の詳細な説明】
【技術分野】
【０００１】
本考案は、書籍、雑誌、新聞、ノート等の読者または利用者が、見出しや検索用に特定の頁に目印をつけるために用いる付箋であって、本体端部の裏面に感圧性接着層を持った付箋に関するものである。
【背景技術】
【０００２】
従来、花柄模様やカラーパターンを施し意匠性を付与した付箋の考案は特許文献１により既に提案されている。
【０００３】
従来、付箋本体に分離可能部が設けられ、且つカラーパターン等を切り離すように付箋本体に設けられた分離可能部を有する付箋の考案は特許文献２により既に提案されている。
【０００４】
前述の特許文献１の付箋では、花柄模様やカラーパターンが施されているが、これらの意匠の変化を楽しむことは出来ない。
【０００５】
一方、前述の特許文献２の付箋では、分離後も記事指摘片と頁指摘片が一体的に関連付けられることを目的として意匠が施されており、分離前、分離後の意匠の意味内容変化が得られるものではなく、分離除去することによる表記変化に対する期待感やこれに付随する購買意欲が得られるものではない。
【特許文献１】公開特許第 平１１−３４２６９０号公報
【特許文献２】登録実用新案第３１８１２３８号公報
【考案の開示】
【考案が解決しようとする課題】
【０００６】
そこで、本願考案は、このような従来の要請に基づくものであって、目印としての付箋の基本的な構成を有すると共に、付箋本体に使用意欲を起こさせる表記を施し、また分離部より分離除去を行うことで基部に異なる意味内容表記が得られるようにすることで意匠の変化を楽しむことが出来る付箋を提供する。
【課題を解決するための手段】
【０００７】
上記課題を解決するために、請求項１記載の付箋にあっては、付箋本体に切断可能部が設けられ、基部と除去部とにより構成された付箋であって、上記基部と除去部とには、連続して一体の意味内容を保持すると共に、上記除去部が除去された場合にも上記基部に残存した部位も独自の意味内容を有する表記部が設けられていることを特徴とする。
【０００８】
本考案請求項１に記載の付箋にあっては、付箋本体に切断可能部が設けられ、基部と除去部とにより構成された付箋であって、上記基部と除去部とには、連続して一体の意味内容を保持すると共に、上記除去部が除去された場合にも上記基部に残存した部位も独自の意味内容を有する表記部が設けられていることを特徴とする。従って、切断可能部より除去部を分離除去することによって、基部には意味内容の異なる表記が表れる。
【０００９】
請求項２に記載の付箋にあっては、請求項１に記載の付箋本体が全体細長長方形状に形成されていることを特徴とする。このように細長長方形状に形成されていることにより、貼り付けに要する面積を小さくすることができる。
【００１０】
請求項３に記載の付箋にあっては、上記切断可能部は長さ方向端部に設けられていることを特徴とする請求項２記載の付箋であり、このように長さ方向端部に切断可能部を設けることで、長さ方向端部への表記および分離除去時の基部表記内容の変化を可能とする。
【００１１】
請求項４に記載の付箋にあっては、上記表記部は符号であって、上記切断可能部は上記符号を横断して設けられていることを特徴とする請求項１記載の付箋。
【００１２】
請求項５に記載の付箋にあっては、上記表記部は文字であって、上記切断可能部は上記文字を横断して設けられていることを特徴とする請求項１記載の付箋。
【００１３】
請求項６に記載の付箋にあっては、上記表記部は図形であって、上記切断可能部は上記図形を横断して設けられていることを特徴とする請求項１記載の付箋。
【考案の効果】
【００１４】
請求項１に記載の付箋にあっては、書籍、雑誌、新聞、ノート等の読者または利用者が、見出しや検索用に特定の頁に目印をつけるために用いることが可能であり、且つ切断可能部より除去部を切り離すことで基部に独自の意味内容を有する表記が表れるように構成されているので、分離除去することによる表記変化に対する期待感やこれに付随する購買意欲が得られる。
【００１５】
請求項２に記載の付箋にあっては、請求項１の付箋本体が細長長方形状に形成されることにより、貼り付けに要する面積を小さくしたことで、小型の書籍、雑誌、新聞、ノート等であっても当該付箋を数多く貼り付けることが可能となり、同時に文面等の小さな対象にマーキングが可能となる。
【００１６】
請求項３に記載の付箋にあっては、請求項２の付箋本体へ長さ方向端部に切断可能部を設けることで、長さ方向端部への表記および分離除去時の基部表記内容の変化が可能となり、例えば書籍の頁の検索用として書籍端部から当該付箋の表記部がはみ出す形で使用した際、書籍を綴じた状態でも表記部の表記を楽しんだり、切断可能部より切り離し除去して基部表記内容の変化を楽しむことが出来る。
【００１７】
請求項４に記載の付箋にあっては、例えば上記表記部が符号であった場合には、切断除去前「？」(クエスチョンマーク)が切断除去後「！」(エクスクラメーションマーク)のように異なる意味内容を与えることが可能であり、目的に応じて選択して用いることが出来る。
【００１８】
請求項５に記載の付箋にあっては、例えば上記表記部が文字と符号であった場合には、切断除去前「LOOK！」が切断除去後「OK！」のように異なる意味内容を与えることが可能であり、目的に応じて選択して用いることが出来る。
【００１９】
請求項６に記載の付箋にあっては、例えば上記表記部が図形であり、図形が顔であった場合には、切断除去前「困った表情の顔文字」が切断除去後「驚いた表情の顔文字」のように異なる意味内容を与えることが可能であり、目的に応じて選択して用いることが出来る。
【図面の簡単な説明】
【００２０】
【図１】図１は、本考案に係る付箋の一実施形態を示し、符号の一例および使用例を示した平面図である。
【図２】図２は、本考案に係る付箋の一実施形態を示し、文字および符号の一例および使用例を示した平面図である。
【図３】図３は、本考案に係る付箋の一実施形態を示し、図形の一例および使用例を示した平面図である。
【図４】図４は、本考案に係る付箋の一実施形態を示し、図１を表記部が本からはみ出す形で使用した状態を示し、更に切断除去後の状態を示した説明図である。
【図５】図５は、本考案に係る付箋の一実施形態を示し、図２を表記部が本からはみ出す形で使用した状態を示し、更に切断除去後の状態を示した説明図である。
【図６】図６は、本考案に係る付箋の一実施形態を示し、図３を表記部が本からはみ出す形で使用した状態を示し、更に切断除去後の様子を示した説明図である。
【考案を実施するための最良の形態】
【００２１】
以下、本考案を実施の形態に基づき、図面を参照して詳細に説明する。なお、本考案の付箋は、以下の実施例に限定されるものではなく、本考案の要旨を逸脱しない範囲内において種々変更を加え得ることは勿論である。
【００２２】
図１から図３に示すように、本実施形態に係る付箋１０は、付箋本体１１は紙製であって、全体細長長方形状に形成されており、その長さ方向端部に切断可能部を形成するミシン目１２が設けられ、ミシン目１２とは長さ方向反対側の端部裏面には本等に貼り付け可能な感圧接着層（図示せず）を有した基部１３と、ミシン目１２より切断除去可能な除去部１４とにより構成されている。
上記基部１３と除去部１４とには、連続して一体の意味内容を保持すると共に、上記除去部１４が除去された場合にも上記基部１３に残存した部位１５も独自の意味内容を有する表記部１６が設けられている。
【００２３】
図１は、本考案に係る第一の実施の形態を示す。本実施の形態においては、上記表記部１６は符号により形成されており、この符号はクエスチョンマーク１７が使用されている。付箋本体１１にクエスチョンマーク１７を横断して設けられたミシン目１２により、除去部１４を切断除去することによって、クエスチョンマーク１７の一部が切断除去され基部１３にはエクスクラメーションマーク１８が残存し、使用者は符号１６の変化が楽しめる。
【００２４】
図２は本考案に係る第二の実施の形態を示す。本実施の形態においては、上記表記部１６に文字と符号が併記されており、この文字と符号からなる表記は「LOOK!」１９である。
付箋本体１１に「LOOK!」１９を横断して設けられたミシン目１２により、除去部１４を切断除去することによって、「LOOK!」１９の一部が切断除去され基部１３には「OK!」２０が残存し、使用者は文字と符号からなる表記の変化が楽しめる。
【００２５】
図３は本考案に係る第三の実施の形態を示す。本実施の形態においては、上記表記部１６に顔の図形２１が記されている。
付箋本体１１に顔の図形２１を横断して設けられたミシン目１２により、除去部１４を切断除去することによって、顔の図形２１の眉毛部分２２が切断除去され基部１３には眉毛部分のない表情の異なる顔の図形２３が残存し、使用者は顔の図形２１の表情の変化を楽しめる。
【００２６】
図４〜図６は、本実施の形態に係る付箋１０の作用（使用の仕方）を示す。
図４〜図６における本実施の形態に係る付箋１０においては、上記表記部１６が本からはみ出すように貼られており、頁の目印としての作用を奏するとともに、使用者は表記部１６を見て楽しめる。
図４は本実施の形態の表記部１６がクエスチョンマーク１７である場合の作用を示しており、ミシン目１２より除去部１４を切断除去することにより、基部に残存した部位１５にはエクスクラメーションマーク１８が表れ、使用者は符号の変化を楽しめる。
図５は本実施の形態の表記部１６が「LOOK！」１９である場合の作用を示しており、ミシン目１２より除去部１４を切断除去することにより、基部に残存した部位１５には「OK!」２０が表れ、使用者は文字と符号からなる表記の変化を楽しめる。
図６は本実施の形態の表記部１６が顔の図形２１である場合の作用を示しており、ミシン目１２より除去部１４を切断除去することにより、基部に残存した部位１５には表情の異なる顔の図形２３が表れ、使用者は表記の顔の図形２１の変化を楽しめる。
【００２７】
上記実施の形態においては付箋本体１１の材質は紙製である場合を例に説明したが、紙製に限定されるものではなく、合成樹脂製でも良い。
上記実施の形態においては付箋本体１１の形状は全体細長長方形である場合を例に説明したが、全体細長長方形に限定されるものではなく、正方形、三角形、円形、星形やハート型その他の形状でも良い。
【００２８】
上記実施の形態においては基部１３の形状は長方形である場合を例に説明したが、長方形に限定されるものではなく、正方形、三角形、円形、星形やハート型その他の形状でも良い。
【００２９】
上記実施の形態においては除去部１４の形状は長方形である場合を例に説明したが、長方形に限定されるものではなく、正方形、三角形、円形、星形やハート型その他の形状でも良い。
【００３０】
上記実施の形態においては切断可能部１２の数が１つである場合を例に説明したが、１つに限定されるものではなく、複数であっても良い。
上記実施の形態においては切断可能部１２の付箋本体１１に対する位置は、長さ方向端部である場合を例に説明したが、長さ方向端部と限定されるものではなく、中央であってもどこでも良い。
上記実施の形態においては付箋本体１１に対する切断可能部１２の角度は、付箋本体１１の幅方向端面に平行である場合を例に説明したが、幅方向端面に平行と限定されるものでなく、切断可能部１２が表記部１６の一部を横断しており、さらに付箋本体１１の一部を切断除去できるように施されていればどの角度であっても良い。
上記実施の形態においては切断可能部１２の形状が直線状である場合を例に説明したが、形状は直線状に限定されるものでなく、曲線状でも良いし、角を形成していても良く、またこれらの組み合わせでも良い。
上記実施の形態においては切断可能部１２がミシン目１２であり、ミシン目１２の切込みの長さと間隔について一定の場合を例に説明したが、ミシン目１２の切込みの長さと間隔はこれに限定されるものではなく、付箋本体の材質や厚みなどから使用者が切り易いと考えられるミシン目１２の切込みの長さと間隔を用いて良いし、切込み間隔や長さを変則的としても良い。
上記実施の形態においては切断可能部１２は、図１から図６においてはミシン目１２である場合を例に説明したが、切断可能部１２はミシン目１２に限定されるものではなく、折目であっても良いし、当該部の圧縮や成形過程で薄肉化したものでも良いし、切欠きであっても良い。また一部分のみを残し切込みを入れたものであっても良い。
【００３１】
上記実施の形態においては表記部１６が符号である場合、文字と符号からなる場合、図形からなる場合について説明したが、表記部はこれらに限定されるものではなく、文字のみでも良いし、符号や文字や図形を自由に併用して表記しても良い。
上記実施の形態においては表記部１６の符号はクエスチョンマーク１７である場合を説明したが、符号はクエスチョンマーク１７に限られるものではなく、数字、句読点、アンド、パーセント、カッコ、コメジルシ、ハイフン、スラッシュ、ドルマーク等であっても良い。
上記実施の形態においては表記部１６の文字が英語である場合を例に説明したが、文字は英語に限定されるものではなく、日本語や中国語等であっても良い。特に日本語である場合には、漢字でも良いし、ひらがなでも良いし、カタカナでも良い。
上記実施の形態においては表記部１６の図形は顔の図形２１である場合を例に説明したが、図形は顔の図形２１に限定されるものではなく、山や建物や人物などを模った図形でも良いし、四角、三角、丸、星印やハート型、黒丸等でも良く、これらを組合わせたものであっても良い。
【００３２】
上記実施の形態においては、表記部１６が符号であって、基部に残存した部位１５が符号である場合を説明したが、基部に残存した部位１５は符号に限定されるものではなく、文字でも良いし、図形でも良いし、符号、文字、図形の組み合わせでも良い。表記部１６と基部に残存した部位１５の表記の組合わせは自由に選択される。
上記実施の形態においては、表記部１６が文字と符号からなる場合であって、基部に残存した部位１５が文字と符号である場合を説明したが、基部に残存した部位１５は文字と符号からなるものに限定されるものではなく、文字のみでも良いし、図形のみでも良いし、符号のみでも良いし、符号、文字、図形の組み合わせでも良い。表記部１６と基部に残存した部位１５の表記の組合わせは自由に選択される。
上記実施の形態においては、表記部１６が図形であって、基部に残存した部位１５が図形である場合を説明したが、基部に残存した部位１５は図形に限定されるものではなく、符号でも良いし、文字でも良いし、符号、文字、図形の組み合わせでも良い。表記部１６と基部に残存した部位１５の表記の組合わせは自由に選択される。
【産業上の利用可能性】
【００３３】
本考案に係る付箋は、簡単な操作により意匠が変化するという高い意匠性が付与されており、従来にない新しい楽しみ方を有する付箋を世に提供するものであることから産業上の利用可能性を有している。
【符号の説明】
【００３４】
１０・・・付箋
１１・・・付箋本体
１２・・・切断可能部（ミシン目１２）
１３・・・基部
１４・・・除去部
１５・・・基部に残存した部位
１６・・・表記部
１７・・・クエスチョンマーク
１８・・・エクスクラメーションマーク
１９・・・LOOK！
２０・・・OK!
２１・・・顔の図形
２２・・・眉毛部分
２３・・・表情の異なる顔の図形
【図１】
0003189016.tif 000003
【図２】
0003189016.tif 000004
【図３】
0003189016.tif 000005
【図４】
0003189016.tif 000006
【図５】
0003189016.tif 000007
【図６】
0003189016.tif 000008